(57)【要約】  本発明の情報処理端末は、オブジェクトによる入力を受け付ける複数のディスプレイと、姿勢を検出して姿勢情報を出力する姿勢検知部と、モード変更を行う変更部と、アプリケーションプログラムを実行する実行部と、所定の入力情報を受け付けたアプリケーションプログラムを判定する判定部と、特定のモードに移行した場合に、前記姿勢情報に基づいて、特定のディスプレイを決定し、前記特定のディスプレイに対し、前記判定手段により判定された前記アプリケーションプログラムに関する表示データを表示する表示制御部と、を有する。
2013046983.tif 000002
【特許請求の範囲】
【請求項１】
オブジェクトによる入力を受け付ける複数のディスプレイと、
姿勢を検出して姿勢情報を出力する姿勢検知部と、
モード変更を行う変更部と、
アプリケーションプログラムを実行する実行部と、
所定の入力情報を受け付けたアプリケーションプログラムを判定する判定部と、
特定のモードに移行した場合に、前記姿勢情報に基づいて、特定のディスプレイを決定し、前記特定のディスプレイに対し、前記判定手段により判定された前記アプリケーションプログラムに関する表示データを表示する表示制御部と、を有する情報処理装置。
【請求項２】
前記複数のディスプレイは２つであり、
前記表示制御部は、前記特定のモードに移行した場合、前記情報処理端末の姿勢が前記２つのディスプレイを縦に並べて配置する姿勢であれば、上側に配置されたディスプレイを前記特定のディスプレイと決定する、請求項１に記載の情報処理端末。
【請求項３】
前記複数のディスプレイは２つであり、
前記制御部は、前記特定のモードに移行した場合、前記情報処理端末の姿勢が前記２つのディスプレイを横に並べて配置する姿勢であれば、前記判定手段により判定された前記アプリケーションプログラムに関する表示データを表示しているディスプレイを前記特定のディスプレイと決定する、請求項１に記載の情報処理端末。
【請求項４】
前記表示制御部は、前記特定のモードに移行した場合、前記特定のディスプレイ以外のディスプレイの画面を消灯する、請求項２または３に記載の情報処理端末。
【請求項５】
前記制御部は、
前記特定のモードへの移行後における、前記特定のディスプレイ以外のディスプレイの画面の輝度である第１輝度が予め設定されており、
前記特定のモードに移行した場合、前記特定のディスプレイ以外のディスプレイの画面を前記第１輝度で表示する、請求項２または３に記載の情報処理端末。
【請求項６】
前記表示制御部は、
前記情報処理端末の姿勢に応じた、前記２つのディスプレイの各々の画面の輝度である第２輝度も予め設定されており、
前記特定のモードに移行した場合、前記特定のディスプレイ以外のディスプレイの画面を、前記第１輝度および前記第２輝度のうち低い方の輝度で表示する、請求項５に記載の情報処理端末。
【請求項７】
前記表示制御部は、
前記特定のモードに移行した場合、前記２つのディスプレイのうち前記特定のディスプレイ以外のディスプレイには、所定の情報を表す画面を表示する、請求項２または３に記載の情報処理端末。
【請求項８】
前記表示制御部は、
前記特定のモードが終了した場合、前記２つのディスプレイの画面を前記特定モードへの移行前の状態に戻す、請求項２から７のいずれか１項に記載の情報処理端末。
【請求項９】
複数のディスプレイを有する情報処理端末による表示制御方法であって、
所定の入力情報を受け付けたアプリケーションプログラムを判定し、
特定のモードに移行した場合に、前記情報処理端末の姿勢に基づいて、特定のディスプレイを決定し、前記特定のディスプレイに対し、前記判定された前記アプリケーションプログラムの表示データを表示する、表示制御方法。
【発明の詳細な説明】
【技術分野】
【０００１】
本発明は、情報処理端末およびその表示制御方法に関する。
【背景技術】
【０００２】
最近の情報処理端末の中には、複数の画面を利用するものも増えている。【０００３】
しかし、複数の画面を全て表示させておく場合、消費電力の増大が懸念される。また、ユーザにとっても、複数の画面を全て表示させておく必要はなく、操作中のアプリケーションに関する表示データが描画されている画面（すなわち、アクティブ状態にある画面）だけを表示していれば十分なケースもあると考えられる。【０００４】
そこで、例えば、特許文献１には、複数の表示装置に接続された情報処理端末において、省電力化の観点で、操作中であることを示す情報（具体的には、カーソル）が画面に表示されている表示装置以外の表示装置への電源供給を停止等する技術が記載されている。【０００５】
言い換えれば、特許文献１に記載の技術は、操作中の画面を、その画面を表示している表示装置にそのまま表示し、それ以外の表示装置への電源供給を停止等するものである。
【先行技術文献】
【特許文献】
【０００６】
【特許文献１】特開２０１０−０４９５５７号公報
【発明の概要】
【発明が解決しようとする課題】
【０００７】
ところで、近年は、自身を表示装置に接続する形態ではなく、自身が２つのディスプレイを備えている２画面端末と呼ばれる情報処理端末がある。【０００８】
２画面端末の場合、２つのディスプレイの画面にそれぞれ異なるアプリケーションプログラムを表示することや、２つのディスプレイの画面に１つのアプリケーションプログラムを表示することが可能である。【０００９】
また、２画面端末の場合、２つのディスプレイを横に並べて配置して、本のように利用するスタイル（以下、ブックスタイルと称す）と、２つのディスプレイを縦に並べて配置して、ノート型ＰＣ（Personal  Computer）のように利用するスタイル（以下、ＰＣスタイルと称す）と、の２つの利用スタイルで利用することが考えられる。【００１０】
ここで、２画面端末を省電力モードに移行する場合、上述した特許文献１に記載の技術を適用すると、最後に入力を受け付けた画面（アクティブ状態にある画面）は、その画面を表示しているディスプレイにそのまま表示されることになる。【００１１】
しかし、２画面端末は、上述のように、様々な利用スタイルで利用されるため、利用スタイルによっては、アクティブ状態にある画面を、その画面を表示しているディスプレイにそのまま表示しても、画面が見づらい場合があると考えられる。【００１２】
そこで、本発明の目的は、上述した課題を解決し、情報処理端末を省電力モードに移行した場合に、アクティブ状態の画面を見やすく表示することができる情報処理端末およびその表示制御方法を提供することにある。
【課題を解決するための手段】
【００１３】
本発明の情報処理端末は、
オブジェクトによる入力を受け付ける複数のディスプレイと、
姿勢を検出して姿勢情報を出力する姿勢検知部と、
モード変更を行う変更部と、
アプリケーションプログラムを実行する実行部と、
所定の入力情報を受け付けたアプリケーションプログラムを判定する判定部と、
特定のモードに移行した場合に、前記姿勢情報に基づいて、特定のディスプレイを決定し、前記特定のディスプレイに対し、前記判定手段により判定された前記アプリケーションプログラムに関する表示データを表示する表示制御部と、を有する。【００１４】
本発明の表示制御方法は、
複数のディスプレイを有する情報処理端末による表示制御方法であって、
所定の入力情報を受け付けたアプリケーションプログラムを判定し、
特定のモードに移行した場合に、前記情報処理端末の姿勢に基づいて、特定のディスプレイを決定し、前記特定のディスプレイに対し、前記判定された前記アプリケーションプログラムの表示データを表示する。
【発明の効果】
【００１５】
本発明によれば、特定のモードへ移行した場合に、アクティブ状態の画面を見やすく表示することができるという効果が得られる。
【図面の簡単な説明】
【００１６】
【図１】本発明の一実施形態の情報処理端末の外観図である。
【図２】本発明の一実施形態の情報処理端末の外観図である。
【図３】本発明の一実施形態の情報処理端末の機能ブロック図である。
【図４Ａ】本発明の一実施形態の情報処理端末の動作の概要を説明する図である。
【図４Ｂ】本発明の一実施形態の情報処理端末の動作の概要を説明する図である。
【図４Ｃ】本発明の一実施形態の情報処理端末の動作の概要を説明する図である。
【図４Ｄ】本発明の一実施形態の情報処理端末の動作の概要を説明する図である。
【図４Ｅ】本発明の一実施形態の情報処理端末の動作の概要を説明する図である。
【図４Ｆ】本発明の一実施形態の情報処理端末の動作の概要を説明する図である。
【図５】本発明の一実施形態の情報処理端末の動作の流れを説明するフロー図である。
【図６】本発明の一実施形態の情報処理端末における輝度設定の例を説明する図である。
【発明を実施するための形態】
【００１７】
以下に、本発明を実施するための形態について図面を参照して説明する。
【００１８】
図１および図２は、本実施形態の情報処理端末１０の外観図である。
【００１９】
図１および図２に示すように、本実施形態の情報処理端末１０は、互いに開閉可能に接続された２つの筐体１１−１，１１−２からなり、各筐体１１−１，１１−２のそれぞれにディスプレイ１２−１，１２−２を備えた２画面端末である。
【００２０】
情報処理端末１０の利用スタイルとしては、大別して、図１に示すように、２つのディスプレイ１２−１，１２−２を横に並べて配置して、本のように利用するブックスタイルと、図２に示すように、２つのディスプレイ１２−１，１２−２を縦に並べて配置して、ノート型ＰＣのように利用するＰＣスタイルと、の２つが存在する。
【００２１】
なお、図１および図２においては、ディスプレイ１２−１には、インターネット上のＷｅｂページなどを検索する検索サイトのアプリケーションプログラムに関する表示データを描画した画面が表示されている。また、ディスプレイ１２−２には、ゲームのアプリケーションプログラムに関する表示データを描画した画面が表示されている。
【００２２】
図３は、本実施形態の情報処理端末１０の機能ブロック図である。
【００２３】
図３に示すように、本実施形態の情報処理端末１０は、ディスプレイ１２−１，１２−２と、制御部１３と、姿勢センサ（姿勢検知部）１４と、を有している。また、制御部１３は、判定部１５と、表示制御部１６と、変更部１７と、実行部１８と、を有している。
【００２４】
ディスプレイ１２−１，１２−２は、画面を表示する機能と、ユーザの指やペン等のオブジェクトによるタッチ操作を検出する機能と、を有するタッチパネル式のディスプレイである。なお、ディスプレイ１２−１，１２−２は、タッチ操作を検出した位置を表すタッチ入力情報を制御部１３に通知する。
【００２５】
変更部１７は、情報処理端末１０のモード変更を行う。
【００２６】
なお、省電力モードへの移行は、筐体１１−１または１１−２上に物理的に配置した特定のキーが押下されたこと、または、ディスプレイ１２−１または１２−２の画面上に表示した特定のキーがタップされたことをトリガーにして判断することができる。または、最後の操作が行われてから一定時間が経過したことをトリガーとしても良いし、情報処理端末１０の電池残量を監視し、残量が一定量以下になったことをトリガーとしても良い。
【００２７】
ただし、２つのディスプレイ１２−１，１２−２の画面のいずれか一方を消灯している状態では、既に省電力化がなされているため、省電力モードへは移行されない。
【００２８】
実行部１８は、アプリケーションプログラムを実行する。
【００２９】
表示制御部１６は、ディスプレイ１２−１、１２−２上の画面内に実行中のアプリケーションプログラムに関する表示データを表示させる。以降、アプリケーションプログラムに関する表示データを表示することを、単に、アプリケーションプログラムを表示する、と記載するものとする。
【００３０】
判定部１５は、２つのディスプレイ１２−１，１２−２の画面が、アクティブ状態または非アクティブ状態のどちらであるかを判定する。
【００３１】
例えば、判定部１５は、２つのディスプレイ１２−１，１２−２の画面上にそれぞれ異なるアプリケーションプログラムを表示している状態では、２つのディスプレイ１２−１，１２−２の画面の一方をアクティブ状態と判定し、他方を非アクティブ状態と判定する。
【００３２】
このときの判定方法としては、例えば、ユーザが最後に入力した入力情報（所定の入力情報）を受け付けたアプリケーションプログラムを表示していたディスプレイの画面をアクティブ状態と判定することが考えられる。
【００３３】
それ以外にも、継続的な操作を示す旨の指示入力を受け付けた場合には、この指示を解除しない限り、当該指示を受け付けたディスプレイの画面をアクティブ状態として固定的に判定することも可能である。
【００３４】
また、判定部１５は、２つのディスプレイ１２−１，１２−２上を跨った画面に１つのアプリケーションプログラムを表示している状態では、２つのディスプレイ１２−１，１２−２に跨った画面をアクティブ状態と判定する。
【００３５】
姿勢センサ１４は、３軸加速度センサ等であり、情報処理端末１０の姿勢を検知し、検知した姿勢を表す姿勢情報（各軸の加速度の情報等）を制御部１３に通知する。
【００３６】
表示制御部１６は、実行部１８が実行したアプリケーションプログラムをディスプレイ１２−１，１２−２に表示し、また、アプリケーションプログラムに対する動作状況や処理状況に連動した描画処理を実行する。
【００３７】
また、表示制御部１６は、変更部１７が情報処理端末１０を省電力モードに移行させた場合、姿勢センサ１４からの姿勢情報を基に、情報処理端末１０の利用スタイルがブックスタイルまたはＰＣスタイルのどちらであるかを判断する。さらに、ブックスタイルであれば、２つのディスプレイ１２−１，１２−２が右側または左側のどちらに配置されているかも判断し、また、ＰＣスタイルであれば、２つのディスプレイ１２−１，１２−２が上側または下側のどちらに配置されているかも判断する。
【００３８】
ただし、例えば、情報処理端末１０の開閉角度を１８０度にして机の上などの平面上に置いた状態で起動した場合には、情報処理端末１０の利用スタイルを判断できない可能性がある。その場合は、表示制御部１６は、情報処理端末１０の利用スタイルを判断するために、ディスプレイ１２−１，１２−２にメッセージを表示する等して、情報処理端末１０を持ち上げて傾けることをユーザに促せば良い。
【００３９】
さらに、表示制御部１６は、上記で判断した情報処理端末１０の姿勢を基に、２つのディスプレイ１２−１，１２−２の中から、アクティブ状態の画面を表示するディスプレイを決定し（以下、このディスプレイを特定のディスプレイと称す）、決定した特定のディスプレイにアクティブ状態の画面を表示する。
【００４０】
例えば、表示制御部１６は、２つのディスプレイ１２−１，１２−２の画面にそれぞれ異なるアプリケーションプログラムを表示している状態で、変更部１７が情報処理端末１０を省電力モードに移行させた場合は、情報処理端末１０の姿勢がＰＣスタイルであれば、２つのディスプレイ１２−１，１２−２のうち上側に配置されたディスプレイを特定のディスプレイと決定する。
【００４１】
また、表示制御部１６は、２つのディスプレイ１２−１，１２−２の画面にそれぞれ異なるアプリケーションプログラムを表示している状態で、変更部１７が情報処理端末１０を省電力モードに移行させた場合は、情報処理端末１０の姿勢がブックスタイルであれば、２つのディスプレイ１２−１，１２−２のうちアクティブ状態の画面を表示していたディスプレイを特定のディスプレイと決定する。すなわち、この場合、アクティブ状態の画面は、元々表示されていたディスプレイにそのまま表示されることになる。
【００４２】
なお、表示制御部１６は、２つのディスプレイ１２−１，１２−２の画面にそれぞれ異なるアプリケーションプログラムを表示している状態で、変更部１７が情報処理端末１０を省電力モードに移行させた場合、特定のディスプレイ以外のディスプレイについては画面を消灯する。
【００４３】
ここで、特定のディスプレイ以外のディスプレイに表示されたアプリケーションプログラムは、見かけ上は消灯処理により表示されていない状態であるが、仮想的には特定のディスプレイに表示された画面の下に移動させた状態としての表示制御を行ってもよい。
【００４４】
すなわち、特定のディスプレイ以外のディスプレイに表示する表示データも、省電力モードに移行中においては、特定のディスプレイに移動させた状態とする。そして、表示制御部１６は、特定のディスプレイ上に表示されたアプリケーションプログラムの実行が終了すると、当該アプリケーションプログラムの終了後には、特定のディスプレイ以外のディスプレイに表示された表示データを描画する。したがって、ユーザにとっては、特定のディスプレイ以外のディスプレイに表示されたアプリケーションプログラムに関する表示データを視認することになる。なお、このときの表示順は、個々のアプリケーションプログラムの優先度、利用頻度、利用順等などとすることが考えられるため、必ずしも、特定のディスプレイ以外のディスプレイに表示された画面を次候補とする必要はない。
【００４５】
これにより、複数のディスプレイを用いてマルチタスク処理を行っている際、やむを得ず省電力モードに移行した場合であっても、起動していたタスクを全て、特定のディスプレイ上に集約して利用することが可能となる。
【００４６】
また、表示制御部１６は、２つのディスプレイ１２−１，１２−２上を跨った画面に１つのアプリケーションプログラムを表示している状態で、変更部１７が情報処理端末１０を省電力モードに移行させた場合は、２つのディスプレイ１２−１，１２−２を特定のディスプレイと決定する。すなわち、この場合、アクティブ状態の画面は、元々表示されていた２つのディスプレイ１２−１，１２−２にそのまま表示されることになる。
【００４７】
以下、本実施形態の情報処理端末１０の動作について説明する。
【００４８】
図４Ａ〜図４Ｃは、本実施形態の情報処理端末１０をブックスタイルで利用する場合の動作の概要を説明する図である。
【００４９】
なお、ブックスタイルでは、２つのディスプレイ１２−１，１２−２のうち左側のディスプレイに表示された画面がメイン画面と定義され、右側のディスプレイに表示された画面がサブ画面と定義されているものとする。
【００５０】
図４Ａでは、ブックスタイルにおいて、２つのディスプレイ１２−１，１２−２の画面にそれぞれ異なるアプリケーションプログラムを表示しており、このうち左側のディスプレイ１２−２に表示されたメイン画面がアクティブ状態となっている（状態Ａ１）。
【００５１】
この状態Ａ１で、変更部１７が情報処理端末１０を省電力モードに移行させた場合、表示制御部１６は、アクティブ状態のメイン画面を表示している左側のディスプレイ１２−２を特定のディスプレイと決定し、ディスプレイ１２−２にアクティブ状態のメイン画面をそのまま表示し、右側のディスプレイ１２−１の非アクティブ状態のサブ画面を消灯する（状態Ａ２）。
【００５２】
図４Ｂでは、ブックスタイルにおいて、２つのディスプレイ１２−１，１２−２上を跨った画面に１つのアプリケーションプログラムを表示しており、２つのディスプレイ１２−１，１２−２上を跨った画面がアクティブ状態となっている（状態Ｂ１）。
【００５３】
この状態Ｂ１で、変更部１７が情報処理端末１０を省電力モードに移行させた場合、表示制御部１６は、２つのディスプレイ１２−１，１２−２を共に特定のディスプレイと決定し、２つのディスプレイ１２−１，１２−２の画面に１つのアプリケーションプログラムをそのまま表示する（状態Ｂ２）。
【００５４】
図４Ｃでは、ブックスタイルにおいて、２つのディスプレイ１２−１，１２−２の画面にそれぞれ異なるアプリケーションプログラムを表示しており、このうち右側のディスプレイ１２−１に表示されたサブ画面がアクティブ状態となっている（状態Ｃ１）。
【００５５】
この状態Ｃ１で、変更部１７が情報処理端末１０を省電力モードに移行させた場合、表示制御部１６は、アクティブ状態のサブ画面を表示している右側のディスプレイ１２−１を特定のディスプレイと決定し、右側のディスプレイ１２−１にアクティブ状態のサブ画面をそのまま表示し、左側のディスプレイ１２−２の非アクティブ状態のメイン画面を消灯する（状態Ｃ２）。
【００５６】
図４Ｄ〜図４Ｆは、本実施形態の情報処理端末１０をＰＣスタイルで利用する場合の動作の概要を説明する図である。
【００５７】
なお、ＰＣスタイルでは、２つのディスプレイ１２−１，１２−２のうち上側のディスプレイに表示された画面がメイン画面と定義され、下側のディスプレイに表示された画面がサブ画面と定義されているものとする。
【００５８】
図４Ｄでは、ＰＣスタイルにおいて、２つのディスプレイ１２−１，１２−２の画面にそれぞれ異なるアプリケーションプログラムを表示しており、このうち上側のディスプレイ１２−１に表示されたメイン画面がアクティブ状態となっている（状態Ｄ１）。
【００５９】
この状態Ｄ１で、変更部１７が情報処理端末１０を省電力モードに移行させた場合、表示制御部１６は、アクティブ状態のメイン画面を表示している上側のディスプレイ１２−１を特定のディスプレイと決定し、ディスプレイ１２−１にアクティブ状態のメイン画面をそのまま表示し、下側のディスプレイ１２−２の非アクティブ状態のサブ画面を消灯する（状態Ｄ２）。
【００６０】
図４Ｅでは、ＰＣスタイルにおいて、２つのディスプレイ１２−１，１２−２上を跨った画面に１つのアプリケーションプログラムを表示しており、２つのディスプレイ１２−１，１２−２上を跨った画面がアクティブ状態となっている（状態Ｅ１）。
【００６１】
この状態Ｅ１で、変更部１７が情報処理端末１０を省電力モードに移行させた場合、表示制御部１６は、２つのディスプレイ１２−１，１２−２を共に特定のディスプレイと決定し、２つのディスプレイ１２−１，１２−２の画面に１つのアプリケーションプログラムをそのまま表示する（状態Ｅ２）。
【００６２】
図４Ｆでは、ＰＣスタイルにおいて、２つのディスプレイ１２−１，１２−２の画面にそれぞれ異なるアプリケーションプログラムを表示しており、このうち下側のディスプレイ１２−２に表示されたサブ画面がアクティブ状態となっている（状態Ｆ１）。
【００６３】
この状態Ｆ１で、変更部１７が情報処理端末１０を省電力モードに移行させた場合、情報処理端末１０を置いて使用することを想定すると、下側のディスプレイ１２−２に表示された画面よりも、上側のディスプレイ１２−１に表示された画面の方がユーザにとって見やすいと考えられる。
【００６４】
そこで、表示制御部１６は、上側のディスプレイ１２−１を特定のディスプレイと決定し、下側のディスプレイ１２−２にサブ画面として表示されていたゲームのアプリケーションプログラムの画面を、上側のディスプレイ１２−１にメイン画面として表示し、下側のディスプレイ１２−２のサブ画面を消灯する（状態Ｆ２）。また、この場合、表示制御部１６は、元の状態Ｆ１を記憶しておく。
【００６５】
この状態Ｆ２で、変更部１７が省電力モードを終了した場合、表示制御部１６は、上側のディスプレイ１２−１にメイン画面として表示されていたゲームのアプリケーションプログラムの画面を、下側のディスプレイ１２−２に戻してサブ画面として表示し、また、省電力モードへの移行前に上側のディスプレイ１２−１にメイン画面として表示されていた検索サイトのアプリケーションプログラムの画面を、上側のディスプレイ１２−１に再度表示する。これにより、表示制御部１６は、２つのディスプレイ１２−１，１２−２の画面を、省電力モードへの移行前の元の状態Ｆ１に戻す（状態Ｆ３）。
【００６６】
なお、省電力モードの終了は、筐体１１−１または１１−２上に物理的に配置した特定のキーが押下されたこと、または、ディスプレイ１２−１または１２−２の画面上に表示した特定のキーがタップされたことをトリガーにして判断することができる。または、操作が開始されたことをトリガーとしても良いし、情報処理端末１０の電池残量を監視し、残量が一定量を超えたことをトリガーとしても良い。
【００６７】
図５は、本実施形態の情報処理端末１０の動作の流れを説明するフロー図である。
【００６８】
図５において、表示制御部１６は、姿勢センサ１４からの姿勢情報を監視すると共に、２つのディスプレイ１２−１，１２−２からのタッチ入力情報を監視している。また、表示制御部１６は、情報処理端末１０の電池残量や、筐体１１−１または１１−２上の特定のキーの押下状況も監視している。
【００６９】
また、判定部１５は、２つのディスプレイ１２−１，１２−２からのタッチ入力情報を監視し、２つのディスプレイ１２−１，１２−２の画面がアクティブ状態または非アクティブ状態のどちらであるかを判定している。
【００７０】
まず、表示制御部１６は、変更部１７が情報処理端末１０を省電力モードに移行させたかを判断する（ステップＳ１１）。
【００７１】
ステップＳ１１において、省電力モードに移行した場合、表示制御部１６は、２つのディスプレイ１２−１，１２−２の画面上のアプリケーションプログラムの表示状態を判断する（ステップＳ１２）。
【００７２】
ステップＳ１２において、２つのディスプレイ１２−１，１２−２の画面上を跨って１つのアプリケーションプログラムを表示している場合は（図４Ｂの状態Ｂ１および図４Ｅの状態Ｅ１参照）、表示制御部１６は、２つのディスプレイ１２−１，１２−２を特定のディスプレイと決定し（ステップＳ１３）、決定した特定のディスプレイにアクティブ状態の画面を表示する（ステップＳ１４。図４Ｂの状態Ｂ２および図４Ｅの状態Ｅ２参照）。
【００７３】
ステップＳ１４では、２つのディスプレイ１２−１，１２−２のいずれの画面も消灯しないため、ここで処理を終了する。
【００７４】
一方、ステップＳ１２において、２つのディスプレイ１２−１，１２−２の画面にそれぞれ異なるアプリケーションプログラムを表示している場合は、表示制御部１６は、情報処理端末１０の利用スタイルを判断する（ステップＳ１５）。
【００７５】
ステップＳ１５において、ブックスタイルである場合は（図４Ａの状態Ａ１および図４Ｃの状態Ｃ１参照）、表示制御部１６は、アクティブ状態の画面を表示していたディスプレイを特定のディスプレイと決定し（ステップＳ１６）、また、ＰＣスタイルである場合は（図４Ｄの状態Ｄ１および図４Ｆの状態Ｆ１参照）、表示制御部１６は、上側のディスプレイを特定のディスプレイと決定する（ステップＳ１７）。
【００７６】
続いて、表示制御部１６は、ステップＳ１６，Ｓ１７で決定した特定のディスプレイにアクティブ状態の画面上で描画されていたアプリケーションプログラムを描画する（ステップＳ１８。図４Ａの状態Ａ２、図４Ｃの状態Ｃ２、図４Ｄの状態Ｄ２、および図４Ｆの状態Ｆ２参照）。
【００７７】
以降、表示制御部１６は、変更部１７が省電力モードを終了したかを判断する（ステップＳ１９）。
【００７８】
なお、非アクティブ状態にある画面は、省電力モード移行時に消灯するが、当該画面上に描画されていたアプリケーションプログラムは、仮想的に特定のディスプレイに描画されているアプリケーションプログラムの下に移動させている。
【００７９】
すなわち、省電力モード下において、特定のディスプレイに描画されているアプリケーションプログラムが終了した場合、非アクティブ状態にある画面上に描画されていたアプリケーションプログラムの描画が引き続き行われ、あたかも特定のディスプレイに描画されているアプリケーションプログラムの下で実行されているかのように表示処理を行わせる。
【００８０】
ステップＳ１９において、省電力モードが終了した場合、表示制御部１６は、２つのディスプレイ１２−１，１２−２の画面を、省電力モードへ移行する前の状態に戻し（ステップＳ２０）、処理を終了する。
【００８１】
例えば、図４Ａ、図４Ｃ、および図４Ｄの例では、表示制御部１６は、省電力モードへの移行に伴い消灯していた画面を表示する。
【００８２】
また、図４Ｆの例では、表示制御部１６は、上側のディスプレイ上の画面を下側のディスプレイに戻して表示し、また、省電力モードへの移行前に上側のディスプレイに表示されていた画面を、上側のディスプレイに再度表示する（図４Ｆの状態Ｆ３参照）。
【００８３】
上述したように本実施形態においては、省電力モードへ移行した場合、情報処理端末１０の姿勢を基に、アクティブ状態の画面を表示するディスプレイを決定する。
【００８４】
そのため、省電力モードへ移行した場合に、アクティブ状態の画面を見やすく表示することができるという効果が得られる。
【００８５】
例えば、ＰＣスタイルの場合、下側のディスプレイに表示された画面よりも、上側のディスプレイに表示された画面の方がユーザにとって見やすいと考えられる。
【００８６】
そのため、ＰＣスタイルで省電力モードに移行した時に、下側のディスプレイに表示された画面がアクティブ状態にある場合、その画面を上側のディスプレイに表示することで、その画面を見やすく表示することができる。
【００８７】
以上、実施形態を参照して本発明を説明したが、本発明は上記実施形態に限定されるものではない。本発明の構成や詳細には、本発明の範囲内で当業者が理解し得る様々な変更をすることができる。
【００８８】
例えば、上記実施形態において、ディスプレイ１２−１，１２−２の配置は一例であり、ディスプレイ１２−１，１２−２の位置を入れ替えたブックスタイルおよびＰＣスタイルの場合にも本発明は適用可能である。
【００８９】
他にも、例えば、上記実施形態では、特定のディスプレイ以外のディスプレイに対しては消灯等の表示制御を行うが、特定のディスプレイ以外のディスプレイ上において、省電力モード移行前に描画されていたアプリケーションプログラムとは異なるアプリケーションプログラムの表示制御を実行させてもよい。
【００９０】
具体的には、上記実施形態では、消灯状態とした特定のディスプレイ以外のディスプレイ上で、更に他のアプリケーションプログラムを起動させて、そのアプリケーションプログラムに関連する表示データの描画を行う。
【００９１】
例えば、操作中のユーザ以外の他のユーザが割り込み利用を要する場合などにおいて、表示制御部１６は、省電力モードに移行させる旨の指示を受け付ける。省電力モード移行の旨の指示を受け付けると、表示制御部１６は、操作中のユーザが利用することを目的として、実行中のアプリケーションプログラムの表示先のディスプレイを、ユーザが利用する側の一方のディスプレイとして、当該ディスプレイ上に描画処理を行う。そして、表示制御部１６は、他方のディスプレイを、アプリケーション実行指示等の指示を受け付け可能な状態として、当該ディスプレイ上に描画処理を行う。このようにして、表示制御部１６は、他方のディスプレイに対する新たな描画処理の指示を受け付ける状態とすることで、他方のディスプレイを、状況に応じて表示用として用いることができる。すなわち、限られた表示リソースの有効活用を行うことが可能となる。
【００９２】
なお、特定のディスプレイを決定し、当該特定のディスプレイ上にアクティブ状態の画面を表示する点については、上記実施形態と同様であるため、説明は割愛する。
【００９３】
また、上記実施形態においては、２つのディスプレイ１２−１，１２−２の画面にそれぞれ異なるアプリケーションプログラムを表示している状態で省電力モードに移行した場合、非アクティブ状態の画面を消灯していたが、本発明はこれに限定されず、非アクティブ状態の画面を予め設定された輝度で表示しても良い。また、この輝度はユーザが設定しても良い。
【００９４】
また、ユーザは、図６に示すように、メイン画面およびサブ画面を表示するときの輝度と、省電力モードへの移行後に非アクティブ状態の画面を表示するときの輝度と、を予め設定しても良い。この場合、省電力モードへ移行した時に、メイン画面が非アクティブ状態であれば、メイン画面について設定された輝度と非アクティブ状態の画面について設定された輝度のうち低い方の輝度で非アクティブ状態の画面を表示する。また、サブ画面が非アクティブ状態であれば、サブ画面について設定された輝度と非アクティブ状態の画面について設定された輝度のうち低い方の輝度で非アクティブ状態の画面を表示する。なお、設定される非アクティブ状態の画面の輝度については、複数であっても良く、例えば、電池残量に応じて段階的に低い輝度へと遷移するようにしても良い。
【００９５】
また、上記実施形態においては、省電力モードを例に挙げて説明したが、本発明はこれに限定されず、例えば、ユーザが注視したい画面を強調表示するモードにも適用可能である。このとき、他方の画面には、時計や新着メールの通知等の情報を表示しても良い。なお、このモードは、ユーザが注視したい画面を強調表示するものであるため、他方の画面の輝度は相対的に低くなり、その結果、省電力化の実現も図れる。
【００９６】
本出願は、２０１１年９月２６日に出願された日本出願特願２０１１−２０８６８６を基礎とする優先権を主張し、その開示の全てをここに取り込む。
【図１】
2013046983.tif 000003
【図２】
2013046983.tif 000004
【図３】
2013046983.tif 000005
【図４Ａ】
2013046983.tif 000006
【図４Ｂ】
2013046983.tif 000007
【図４Ｃ】
2013046983.tif 000008
【図４Ｄ】
2013046983.tif 000009
【図４Ｅ】
2013046983.tif 000010
【図４Ｆ】
2013046983.tif 000011
【図５】
2013046983.tif 000012
【図６】
2013046983.tif 000013
【国際調査報告】
2013046983.tif 000014
2013046983.tif 000015